(57)【要約】【課題】  螺旋状又は同心円状の画像情報であるラベル画像を圧縮伸張して、光ディスク装置の本体内に迅速に取り込むことができる光ディスク装置を提供する。【解決手段】  レーザ光により可視化される可視化層をもつ光ディスクを回転させる回転部６３と、レーザ照射部をもつピックアップ部５１と、ピックアップ部の駆動部６６と、レーザ照射部の照射駆動部６５と、外部からディスクの周回毎の階調情報であり、隣り合う周回同士の階調の差分成分で示すことで圧縮されている画像情報を入力する入力部１１と、入力部からディスクの隣り合う周回同士の階調差分成分を本来の周回毎の階調情報に復元する伸張部（圧縮部）４１と、復元された周回毎の階調情報を受け、これに応じてディスク上にラベル画像を画像形成する光ディスク装置。【選択図】図１
2005339686.tif 000002
【特許請求の範囲】
【請求項１】
レーザ光により可視化される可視化層をもつ光ディスクを回転させる回転部と、
前記レーザ光を前記可視化層に照射するレーザ照射部をもつピックアップ部と、
前記ピックアップ部を駆動する駆動部と、
前記レーザ照射部に駆動電流を供給してレーザ光を照射させる照射駆動部と、
外部から前記光ディスクの周回毎の階調情報であり、隣り合う周回同士の階調の差分成分で示すことで圧縮されている画像情報を入力する入力部と、
前記入力部から前記光ディスクの隣り合う周回同士の階調差分成分を本来の周回毎の階調情報に復元する伸張部と、
前記伸張部の復元された周回毎の階調情報を受け、これに基づき前記ピックアップ部及び前記照射駆動部の駆動情報を生成する生成部と、
前記生成部が生成した前記駆動情報に応じて、前記駆動部を制御することでレーザ光の位置を、前記照射駆動部を制御することで可視化像の階調を制御し、前記光ディスク上に前記画像情報に応じた可視化像を画像形成するべく制御する制御部と、
を具備することを特徴とする光ディスク装置。
【請求項２】
与えられた映像信号をエンコードした制御情報に応じて、前記ピックアップ部のレーザ照射部からレーザ光を前記可視化層とは反対側から前記光ディスクの記録層に照射することで前記映像信号を記録する記録部と、
前記光ディスクの前記記録層に前記ピックアップ部のレーザ照射部からレーザ光を照射して反射光を検出し、この反射光に基づいて、前記記録された映像信号を再生する再生部とを更に有する請求項１記載の光ディスク装置。
【請求項３】
レーザ光により可視化される可視化層をもつ光ディスクを回転させる回転部と、前記レーザ光を前記可視化層に照射するレーザ照射部をもつピックアップ部と、前記ピックアップ部を駆動する駆動部と、前記レーザ照射部に駆動電流を供給してレーザ光を照射させる照射駆動部とを有する光ディスク装置において、
外部から前記光ディスクの周回毎の階調情報であり、隣り合う周回同士の階調の差分成分で示すことで圧縮されている画像情報を入力し、前記光ディスクの隣り合う周回同士の階調差分成分を本来の周回毎の階調情報に復元し、復元された周回毎の階調情報を受け、これに基づき前記ピックアップ部及び前記照射駆動部の駆動情報とを生成し、生成した前記駆動情報に応じて、前記駆動部を制御することでレーザ光の位置を、前記照射駆動部を制御することで可視化像の階調を制御し、前記光ディスク上に前記画像情報に応じた可視化像を画像形成することを特徴とする光ディスクの画像形成方法。
【請求項４】
情報処理装置において与えられた画像情報を前記光ディスクの周回毎の階調情報に変換し、更に、この隣り合う周回の階調情報の差分成分を求め、この前記光ディスクの周回の階調情報の差分成分を前記光ディスク装置に供給することを特徴とする請求項３記載の光ディスクの画像形成方法。
【請求項５】
与えられた映像信号をエンコードした制御情報に応じて、前記ピックアップ部のレーザ照射部からレーザ光を前記可視化層とは反対側から前記光ディスクの記録層に照射することで前記映像信号を記録し、
前記光ディスクの前記記録層に前記ピックアップ部のレーザ照射部からレーザ光を照射して反射光を検出し、この反射光に基づいて、前記記録された映像信号を再生することを特徴とする請求項３記載の光ディスクの画像形成方法。
【発明の詳細な説明】
【技術分野】
【０００１】
この発明は、例えばＤＶＤ（Digital Versatile Disk）やＣＤ（Compact Disk）等の光ディスク装置に関し、特に、光ディスクのラベル画像を形成すべくラベル画像情報を圧縮伸張して転送する光ディスク装置及び光ディスクの画像形成方法に関する。
【背景技術】
【０００２】
最近、ＤＶＤ等の光ディスクが記録媒体として普及してきており、このようなディスクにおいては、通常、ディスクの表面に記録されている内容を示すラベルが添付されている。このようなラベルは、別途、作成されて張り合わされるか、直接、ディスク上に印刷機で印刷されることが一般的である。これに対して、ディスクにレーザ光により変色する材料の層を形成して、光ディスク装置のレーザ光によりラベル画像を形成する試みもある。
【０００３】
特許文献１においては、光ピックアップから出射するレーザ光のパワーにより、変色層に画像形成を行う例が示されており、レーザ光の強さに応じて、画像の濃淡を表現できることが示されている。
【０００４】
又、特許文献２においては、同様に、光ピックアップから出射するレーザ光のパワーにより、変色層に画像形成を行う例が示されており、ディスクの周回毎に階調データを用意して、レーザ光の強さに応じて、画像を形成する例が示されている。
【特許文献１】特開２００２−２０３３２１号公報。
【特許文献２】特開２００４−５８４８号公報。
【発明の開示】
【発明が解決しようとする課題】
【０００５】
しかしながら、上記した従来技術においては、このようなラベル画像をどのように扱うかの記載はなく、特に、容量が大きくなりがちである画像情報を迅速に光ディスク装置の入力部にどのように取り込むかの記載が無い。従って、ラベル画像をレーザ光で光ディスク上に形成する光ディスク装置において、大容量となりがちであるラベル画像たる画像情報をどのように迅速に取り込むかが判らないという問題がある。
【０００６】
本発明は、螺旋状又は同心円状の画像情報であるラベル画像を圧縮伸張して本体内に迅速に取り込むことが可能な光ディスク装置及び光ディスクの画像形成方法を提供することを目的とする。
【課題を解決するための手段】
【０００７】
本発明の一実施形態に係る光ディスク装置は、レーザ光により可視化される可視化層をもつ光ディスクを回転させる回転部と、前記レーザ光を前記可視化層に照射するレーザ照射部をもつピックアップ部と、前記ピックアップ部を駆動する駆動部と、前記レーザ照射部に駆動電流を供給してレーザ光を照射させる照射駆動部と、外部から前記光ディスクの周回毎の階調情報であり、隣り合う周回同士の階調の差分成分で示すことで圧縮されている画像情報を入力する入力部と、前記入力部から前記光ディスクの隣り合う周回同士の階調差分成分を本来の周回毎の階調情報に復元する伸張部と、前記伸張部の復元された周回毎の階調情報を受け、これに基づき前記ピックアップ部及び前記照射駆動部の駆動情報とを生成する生成部と、前記生成部が生成した前記駆動情報に応じて、前記駆動部を制御することでレーザ光の位置を、前記照射駆動部を制御することで可視化像の階調を制御し、前記光ディスク上に前記画像情報に応じた可視化像を画像形成するべく制御する制御部とを具備することを特徴とする光ディスク装置である。
【発明の効果】
【０００８】
上記の光ディスク装置においては、光ディスクのラベル画像が、螺旋状又は同心円状の画像情報であり、各周回毎の各階調情報において、特に隣り合った周回同士の階調情報に大きな差異がないことが多いという特徴に着目して以下のような圧縮・伸張処理を施して、光ディスク装置等に画像情報を取り込む。すなわち、外部に接続された例えばパーソナルコンピュータ等において、ディスクの周回毎の階調情報を、隣り合う周回同士の階調の差分成分に変換することで圧縮して、光ディスク装置に取り込むものである。そして、光ディスク装置においては、再び、この周回同士の階調の差分成分を、本来のディスクの周回毎の階調情報に復元（伸張）して、ラベル画像の画像形成を行うものである。
【０００９】
このように、大容量となりがちなラベル画像も、隣り合う周回同士の階調の差分成分に変換することで、非常に容量が小さくなり、接続コードや入力部１３を介して、パーソナルコンピュータ等から迅速に取り込むことができるので、途中の通信不良等が発生することがなくなるため、安定したラベル画像の画像形成処理を行うことができる。
【発明を実施するための最良の形態】
【００１０】
以下、この発明の実施の形態について図面を参照して詳細に説明する。  
本発明に係る光ディスク装置として、図１に示すような複合型記録再生装置である光ディスク装置１０を例に挙げて、以下に詳細に説明する。
【００１１】
＜本発明の一実施形態に係る光ディスク装置＞
初めに、本発明に係る光ディスク装置の構成を図面を用いて説明する。図１は、本発明の一実施形態に係る光ディスク装置の構成の一例を示すブロック図、図２は、本発明の一実施形態に係る光ディスク装置のディスクドライブ部の構成の一例を示すシステム図である。
【００１２】
（構成）
この実施形態では、光ディスク装置１０は、記録媒体としてＤＶＤ−ＲＡＭとハードディスクの双方を取り扱うことができる装置として示しているが、ハードディスク又はＤＶＤ−ＲＡＭは、例えば、半導体メモリによる記録媒体などに置換されてもよい。図１の各ブロックを大きく分けると、左側には記録部の主なブロックを示し，右側には再生部の主なブロックを示している。
【００１３】
図１の光ディスク装置１０は、２種類のディスクドライブ部を有する。まず、ビデオファイルを構築できる情報記録媒体である第１のメディアとしての光ディスクＤを回転駆動し、情報の読み書きを実行するディスクドライブ部１９を有する。又、第２のメディアとしてのハードディスクを駆動するハードディスクドライブ部１８を有する。制御部３０は、全体の動作を司るべく各部に接続されており、例えば、ディスクドライブ部１９及びハードディスクドライブ部１８に記録データを供給することができ、又、再生された信号を受け取ることができる。又、図１に示すように、伸張転送制御部・ラベル形成制御部を有している。
【００１４】
ここで、ディスクドライブ部１９は、図２に示すように、光ディスクＤに対する回転制御系、レーザ駆動系、光学系などを有するものである。すなわち、ディスクドライブ部１９は、図２に示すように、光ディスクＤを所定回転数で回転させるディスクモータ６３と、制御部３０により制御されこのディスクモータ６３に駆動電流を供給して駆動させるディスクモータドライバ６４と、光ピックアップ５１と、トラッキングエラー信号とフォーカスエラー信号とを受けて後述するアクチュエータ５８にトラッキング制御信号ＣＴ及びフォーカス制御信号ＣＦを供給して対物レンズ５９のトラッキングとフォーカスとを制御するトラッキング制御部・フォーカス制御部６２と、光ピックアップ５１を光ディスクＤの半径方向に移動するピックアップ部送り機構部６６と、このピックアップ部送り機構部６６に駆動電流を供給する送りドライバ６７とを有している。
【００１５】
更に、本発明に係る光ディスク装置の光ピックアップ５１は、図２に示すように、対物レンズ５９を保持するアクチュエータ５８を有しており、アクチュエータ５８は、トラック方向のアクチュエータの駆動コイル６０とフォーカス方向のアクチュエータの駆動コイル６１とが設けられている。ここでは、上述したトラッキング制御部・フォーカス制御部６２からそれぞれトラッキング制御信号ＣＴ及びフォーカス制御信号ＣＦが供給されることで、サーボ制御が可能となる。
【００１６】
光ピックアップ５１は、ビームスプリッタ５６等の働きにより照射と受光との両方を行うものである。レーザドライバ６５の制御信号に応じたレーザダイオード５４からのレーザ光の照射がコリメータレンズ５５を経てビームスプリッタ５６を通過し１／４波長板５７等を介して対物レンズ５９により集光され光ディスクＤの所定領域へと照射される。更に、光ディスクＤからの反射光は、対物レンズ５９により拡張されビームスプリッタ５６により集光レンズ５３側へと分離され、更にフォトデテクタ５２へと供給される。フォトデテクタ５２は、検出信号Ｓを供給し、図示しないＲＦアンプを介してトラッキングエラー信号及びフォーカスエラー信号が、トラッキング制御部６２及びフォーカス制御部６２に供給され、更に、再生信号の生成のための検出信号Ｓが、データ処理部２０へと供給される。
【００１７】
又、本発明に係る光ディスク装置は、光ピックアップ５１の図示しないフロントモニタからのフロントモニタ信号を受け、この信号に応じた適正な制御信号Ｃをレーザドライバ６５に供給して、レーザドライバ６５の制御を行う図示しないライトＡＰＣ（Auto Power Controller）回路をも有している。このライトＡＰＣ回路は、特に、光ディスクＤへの書き込みや後述するラベル画像形成処理の際のレーザ光が、設定されたように適正に出力されているかを制御する。
【００１８】
制御部３０は、伸張転送制御部やラベル形成制御部を有している他に、記録、又は、再生単位のデータを取り扱うもので、バッファ回路、エラー訂正部等を含む。
【００１９】
又、図１の光ディスク装置１０は、録画側を構成するエンコーダ部２１と、再生側を構成するデコーダ部２２と、装置本体の動作を制御する制御部３０とを主たる構成要素としている。光ディスク装置１０は、入力側のセレクタ１６と出力側のセレクタ１７とを有しており、入力側のセレクタ１６には、ネットワークＩ／Ｆ部１１と、チューナ部１２と、入力部１３とが接続され、エンコーダ部２１、又は、ラベル画像等を伸張（圧縮）する伸張部（圧縮部）４１に信号を出力する。又、光ディスク装置１０は、エンコーダ部２１に接続されるフォーマッタ部２３と、エンコーダ部２１の出力を受けるデータ処理部２０、データ処理部２０に接続されるハードディスクドライバ部１８、光ディスクドライバ部１９を有している。更に、光ディスク装置１０は、ハードディスクドライバ部１８、光ディスクドライバ部１９からの信号を受けてデコードするデコーダ部２２と、エンコーダ部２１、デコーダ部２２、制御部３０、表示部３１からの信号を受けるビデオミキシング部２４とを有している。更に、セレクタ部１７の出力は、外部のスピーカ部２５と、ディスプレイ部２６とに接続されるか、外部装置との通信を行うインタフェース部２７を介して、外部装置に供給される。更に、光ディスク装置１０は、制御部３０に接続されユーザの操作やリモコンＲの操作を受ける操作部３２を有している。
【００２０】
ここで、リモコンは、光ディスク装置１０の本体に設けられる操作部３２とほぼ同等の操作を可能とするものであり、ハードディスクドライバ部１８やディスクドライバ部１９の記録再生指示や、編集指示、又、チューナの操作、予約録画の設定等、各種設定が可能である。又、更に、光ディスク装置１０は、セレクタ部１６の画像信号等の出力を受けこれを格納するメモリ領域をもつ伸張部（圧縮部）４１と、画像信号等に応じてラベル情報や駆動情報を生成するラベル情報生成部４２とを有している。
【００２１】
（基本動作）
このような構成の光ディスク装置において、初めに、光ディスクの再生処理と記録処理の概要を説明する。光ディスクの再生処理は、以下のように行われる。すなわち、制御部３０の制御下において、ディスクモータドライバ６４で制御されるディスクモータ６３により所定速度に回転される光ディスクＤは、レーザドライバ６５で駆動されるレーザ光が照射されその反射光が光ピックアップ５１のフォトデテクタ５２により検出され、これに基づく検出信号Ｓが出力される。この検出信号Ｓがデータ処理部２０に含まれるＲＦアンプに供給され、ここから出力されたＲＦ信号がデコーダ部２２及び制御部３０に、又、データ処理部２０に含まれるＲＦアンプで生成されたサーボ用信号であるフォーカスエラー信号とトラッキングエラー信号とが、それぞれ、フォーカス制御部・トラッキング制御部６２に供給される。データ処理部２０ではＲＦ信号をデコードし、デコードされた信号がビデオミキシング部２４で合成されるか、そのままインタフェース部２７を介して外部に出力される。又、制御部３０は、ディスクモータ６３の回転をコントロールするコントロール信号を生成しディスクモータドライバ６４に供給して、ディスクモータ６３の回転を制御している。
【００２２】
更にこのような構成の光ディスク装置において、光ディスクの記録処理は、以下のように行われる。すなわち、制御部３０の制御下において、例えば入力部１３、セレクタ部１６を介して供給されたデータは、一時的に記憶領域をもつ伸張部（圧縮部）４１に蓄えられた後にエンコーダ部２１に供給され、コード化されて出力される。このコード化出力と制御部３０の出力に応じて、レーザドライバ６５の駆動電流が光ピックアップ５１に供給される。光ピックアップ５１ではこの駆動電流に応じたレーザ光を搭載されたレーザダイオード５４から発光し、ディスクモータ６３により所定回転数で回転されている光ディスクＤの記憶領域に照射することで、記録処理が行われるものである。
【００２３】
（詳細な動作）
・記録処理等
次に、このような構成を有する光ディスク装置１０の動作を以下に詳細に説明する。初めに、主に記録時の動作について、他の実施形態も含めて詳細に説明する。光ディスク装置１０の入力側として、ネットワークＩ／Ｆ部１１は、例えば、インターネット等を介してサーバＳ等に接続しコンテンツ情報等をダウンロードしたりする。又、チューナ部１２は、アンテナを介して放送信号を選局し復調して映像信号及び音声信号を出力する。又、入力部１３は、外部から、輝度信号や色差信号、コンポジット等の映像信号、音声信号を受ける。これらは、制御部３０等で制御されるセレクタ１６により、入力が制御されて、エンコーダ部２１に選択的に供給される。すなわち、エンコーダ部２１には、入力部１３からの外部アナログビデオ信号や外部アナログオーディオ信号、又は、ＴＶチューナ１２からのアナログビデオ信号とアナログオーディオ信号が、セレクタ１６を介して入力される。
【００２４】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、バッファメモリを含むフォーマッタ部２３にて所定のＤＶＤ−ＲＡＭのフォーマットに変換され、先の制御部３０に供給される。
【００２５】
なお、エンコーダ部２１は、直接圧縮されたデジタルビデオ信号やデジタルオーディオ信号が直接入力されるときは、圧縮デジタルビデオ信号やデジタルオーディオ信号を直接フォーマッタ部２３に供給することもできる。又、エンコーダ部２１は、アナログデジタル変換されたデジタルビデオ信号やオーディオ信号を、ビデオミキシング部２４やセレクタ部１７に直接供給することもできる。
【００２６】
エンコーダ部２１に含まれるビデオエンコーダでは、デジタルビデオ信号はＭＰＥＧ２、又は、ＭＰＥＧ１規格に基づいた可変ビットレートで圧縮されたデジタルビデオ信号に変換される。デジタルオーディオ信号は、ＭＰＥＧ、又は、ＡＣ−３規格に基づいて固定ビットレートで圧縮されたデジタルオーディオ信号、又は、リニアＰＣＭのデジタルオーディオ信号に変換される。
【００２７】
副映像信号が入力部１３から入力された場合、又はこのようなデータ構成のＤＶＤビデオ信号が放送されてそれがＴＶチューナ１２で受信された場合は、ＤＶＤビデオ信号中の副映像信号が副映像エンコーダでエンコード（ランレングス符号化）されて副映像のビットマップとなる。
【００２８】
エンコードされたデジタルビデオ信号、デジタルオーディオ信号、副映像データは、フォーマッタ部２３にてパック化され、ビデオパック、オーディオパック、副映像パックとなり、更にこれらが集合されてＤＶＤ−レコーディング規格（例えば、ＤＶＤ−ＲＡＭ、ＤＶＤ−Ｒ、ＤＶＤ−ＲＷなどに記録する規格）で規定されたフォーマットに変換される。
【００２９】
ここで図１の装置は、フォーマッタ部２３でフォーマット化された情報（ビデオ、オーディオ、副映像データなどのパック）及び作成された管理情報を、制御部３０を介してハードディスクドライブ部１８又はディスクドライブ部１９に供給し、ハードディスク部１８又は光ディスクＤに記録することができる。又、ハードディスク部１８又は光ディスクＤに記録された情報を、制御部３０、ディスクドライブ部１９を介して光ディスクＤ又はハードディスクに記録することもできる。
【００３０】
・編集処理等
次に、主に、記録された情報の編集処理について、他の実施形態も含めて詳細に説明する。ハードディスク又は光ディスクＤに記録されている複数番組のビデオオブジェクトを、一部削除したり、異なる番組のオブジェクトをつなげたり、といった編集処理を行うこともできる。
【００３１】
制御部３０は、編集処理を容易とするため、ＭＰＵ（マイクロプロセッシングユニット）、又は、ＣＰＵ（セントラルプロセッシングユニット）と、制御プログラム等が書きこまれたＲＯＭと、プログラム実行に必要なワークエリアを提供するためのＲＡＭとを含んでいる。
【００３２】
制御部３０のＭＰＵは、そのＲＯＭに格納された制御プログラムに従い、ＲＡＭをワークエリアとして用いて、ハードディスクドライブ部１９における読出・書込アドレスを決定したり、欠陥場所検出、未記録領域検出、録画情報記録位置設定、ＵＤＦ記録、ＡＶアドレス設定等を行うことも好適である。又、制御部３０は、後に詳述する伸張転送制御部・ラベル形成制御部の制御機能も有している。
【００３３】
又、制御部３０は、更に他の実施形態として、図示しない、ディレクトリ検出部、編集時及び録画時の管理情報制御部の他に、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備えるものであることも好適である。
【００３４】
編集処理の際、又は、他の処理の際に、ＭＰＵの実行結果のうち、ユーザに通知すべき内容は、光ディスク装置の表示部３１に表示されるか、又は、ディスプレイ２６にＯＳＤ（オンスクリーンディスプレイ）表示される。又、制御部３０は、この装置を操作するための操作信号を与える操作部３２を有する。操作部３２は、更に、リモコンＲを伴うことが好適である。
【００３５】
なお、制御部３０が、ディスクドライブ部１９、ハードディスクドライブ部１８、制御部３０、エンコーダ部２１及び／又は、デコーダ部２２などを制御するタイミングは、図示しないＳＴＣ（システムタイムクロック）からの時間データに基づいて実行することができる。録画や再生の動作は、通常はＳＴＣからのタイムクロックに同期して実行されるが、それ以外の処理はＳＴＣとは独立したタイミングで実行されてもよい。
【００３６】
・再生処理等  
次に、主に記録された情報の再生処理について、他の実施形態も含めて詳細に説明する。デコーダ部２２は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。又、デコードされた主映像にデコードされた副映像を適宜合成し、主映像にメニュー、ハイライトボタン、字幕やその他の副映像を重ねて出力するビデオプロセッサを備えている。
【００３７】
デコーダ部２２の出力ビデオ信号は、ビデオミキシング部２４に入力される。ビデオミキシング部２４では、テキストデータの合成が行われる。又、ビデオミキシング部２４には、ＴＶチューナ１２や入力部１３からの信号を直接取り込むラインも接続されている。ビデオミキシング部２４には、バッファとして用いる図示しないフレームメモリが接続されている。ビデオミキシング部２４の出力が、セレクタ部１７に供給され、セレクタ部１７により選択されれば、ディスプレイ２６に供給されて表示されるか、Ｉ／Ｆ（インタフェース）部２７を介して外部装置に供給される。
【００３８】
デコーダ部２２の出力オーディオ信号は、セレクタ部１７を介して図示しないデジタルアナログ変換器でアナログ変換されてスピーカ２５に供給されるか、Ｉ／Ｆ部２７を介して外部装置に供給される。セレクタ部１７は、制御部３０からのセレクト信号により制御される。これによりセレクタ部１７は、ＴＶチューナ１２や入力部１３からのデジタル信号を直接モニタする時、エンコーダ部２１をスルーした信号を直接選択することも可能である。
【００３９】
なお、エンコーダ部２１のフォーマッタ部２３では、録画中、各切り分け情報を作成し、定期的に制御部３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００４０】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報に基づいて初期設定が行われる。
【００４１】
制御部３０は、エンコーダ部２１のフォーマッタ部２３からＶＯＢＵ単位のデータを受け取り、ディスクドライブ部１９又はハードディスクドライブ部１８に供給している。又、制御部３０のＭＰＵは、記録したデータを再生するのに必要な管理情報を作成し、データ記録終了のコマンドを認識すると、作成した管理情報を制御部３０に送る。これにより、管理情報がディスクに記録される。従って、エンコードが行われているとき、制御部３０のＭＰＵは、エンコーダ部２１からデータ単位の情報（切り分け情報など）を受け取る。又、制御部３０のＭＰＵは、記録開始時には光ディスク及びハードディスクから読み取った管理情報（ファイルシステム）を認識し、各ディスクの未記録エリアを認識し、データ上の記録エリアを制御部３０を介してディスクに設定している。
【００４２】
又、更に、制御部３０は、後述するように、例えば、インターネット上に設けられたコンテンツ情報のサーバにネットワークＩ／Ｆ部１１を介してアクセスをし、コンテンツ情報をダウンロードして、ＨＤＤ１８の記憶領域に記録することができる。又、ＨＤＤ１８の記憶領域に記録されたコンテンツ情報は、ユーザの操作に応じて、ＨＤＤ１８から読み出されてデコーダ部２２でデコードされた上で、ビデオミキシング部２４を介して、セレクタ部１７で適宜選択され、スピーカ部２５及びディスプレイ２６又はＩ／Ｆ２７を介して外部装置に供給される。
【００４３】
この実施形態の光ディスク装置１０は、このように総合的な機能を有するものであり、多くのソースに対して光ディスクＤ（又はハードディスク）による記録・再生処理を行うものである。ここで、この光ディスク装置１０の光ディスクＤのラベル画像形成処理について、以下に説明を行う。
【００４４】
＜ラベル画像の階調情報の圧縮伸張処理を伴うラベル画像形成処理＞
本発明の一実施形態である光ディスク装置１０においては、上記したような記録・再生処理だけではなく、レーザダイオード５４からのレーザ光を用いた光ディスクのラベル画像の画像形成処理を行うものであり、又、この際に、ラベル画像の画像情報を外部のＰＣ（Personal Computer）において圧縮して光ディスク装置に取り込み、光ディスク装置においてこれを伸張処理するものである。以下に、図面を用いて、詳細に本発明の一実施の形態であるラベル画像形成処理を説明する。図３は、本発明の一実施形態に係る光ディスク装置が画像形成する光ディスクのラベルの一例を示す平面図、図４は、本発明の一実施形態に係る光ディスク装置が扱う可視化層を有する光ディスクの構成の一例を示す断面図、図５は、本発明の一実施形態に係る光ディスク装置が扱う光ディスクの隣り合う周回同士の階調差分成分を示す図である。
【００４５】
・可視化層をもつ光ディスク
初めに、ＤＶＤ等の光ディスクＤは、図３で示されるラベル画像を形成するためには、図４に示すように、レーザ光により可視化される可視化層７６を有する必要がある。ここで、光ディスクＤは、可視化層７６をもつ片面２層の光ディスクであり、図３において、透明樹脂からなる基板７０の上に反射層７７、可視化層７６、透明の保護膜層７１を有しており、一方、第１記録層７２と、中間層７３と、第２記録層７４と、透明の保護層７５とを有している。
【００４６】
・圧縮伸張処理
次に、ラベル画像形成を行うために与えられるラベル画像が、図１で示す外部のホストコンピュータＨから入力部１３に転送される場合を考える。ホストコンピュータＨは、ラベル画像情報を格納するメモリ４３と、これを以下のように圧縮する圧縮部４４と、圧縮されたラベル画像情報を転送するＩ／Ｆ部４５とを有している。
【００４７】
すなわち、図５において、光ディスクＤ上の第１周回の階調情報Ｍ１とこれに隣り合う第２周回の階調情報Ｍ２とを考える時、一般的な画像情報であれば、急激な変化はあまりないものと思われる。このことに着目して、図５の（ｂ）に示すように、両者の不一致個所Ｍ１２を減算処理により求め、これを両者の差分成分としてＭＤ１２を求める。この時、第１周回の階調情報Ｍ１と第２周回の階調情報Ｍ２とをあわせた容量と、両者の差分成分として差分成分ＭＤ１２とを比較してみると、その画像情報の容量が非常に圧縮されていることがわかる。
【００４８】
このような圧縮方法は、ラベル画像形成を行うための画像情報が、『円盤上の各周回毎の各角度における複数の階調情報』という形式による画像であることを考慮した方法であると言える。
【００４９】
なお、このようなラベル画像形成を行うための画像情報は、次のような方法で、ホストコンピュータＨ等において生成される。すなわち、ユーザが所望の画像情報が、通常の画像形式、例えばＪＰＥＧやＭＰＥＧ等の画像情報が与えられる場合を説明する。この画像情報は、ホストコンピュータの制御部の制御下において、メモリ部４３等から読み出され、この画像情報が通常の矩形形状の画像情報であるとき、これをラベル用の画像情報にマスク処理を行い、更に、周回毎の画像情報に変換される。
【００５０】
すなわち、通常の画像情報は、ｘ座標とｙ座標における各階調情報として構成されているが、これを回転する光ディスクの可視化層に螺旋状又は同心円状に形成していくため、『円盤上のどの周回上のどの角度における階調情報か』という形式に変換する。この変換処理は、予め、変換テーブルを用意しこれを用いて、通常の画像情報から『円盤上の各周回毎の各角度における複数の階調情報』に変換することが好適である。
【００５１】
一方、光ディスク装置１０においては、入力部１３等から光ディスクＣの周回毎の階調情報が供給されると、制御部３０の制御下において、セレクタ１６により選択され、伸張部（圧縮部）４１へと供給される。この伸張部（圧縮部）４１では、図５で圧縮された逆の方法で、圧縮された画像情報を伸張して復元する。すなわち、与えら得た差分成分から、隣接する周回の複数の階調情報の不一致成分を生成し、更に、この不一致成分から、第１周回の階調情報、第２周回の階調情報を求めるものである。なお、この復元処理（伸張処理）においては、基礎となる階調情報が与えられた上で、これに対する差分成分から隣接する周回の階調情報が順次求められるものであることは言うまでもない。
【００５２】
・ラベル画像の画像形成処理
このような伸張部（圧縮部）４１の伸張処理により求められた光ディスクの周回毎の階調情報により、以下のように、ラベル画像の画像形成処理が行われる。すなわち、光ディスクの周回毎の階調情報に基づき、制御部３０の制御下のラベル情報生成部４２において、この各周回毎の各階調情報という形式の画像情報に応じた、ピックアップ部５１のピックアップ部送り機構６６へ駆動電流を供給する送りドライバ６７への制御信号、更に、ディスクモータ６３へ駆動電流を供給するディスクモータドライバ６４への制御信号、更に、レーザダイオード５４に駆動電流を供給するレーザドライバ６５に供給するレーザ発光制御信号Ｃがそれぞれ生成され、制御部３０の制御下において、これらの制御信号が各部に供給されることで各部をそれぞれ制御する。なお、この時、レーザドライバ６５による駆動電流は、形成画像Ｍが連続的な可視領域である場合でも、駆動電流は、ＤＣ的な駆動電流とはせず、連続するパルストレインの形態をとることにより、レーザ光のパワーを最大とすることができ、確実なラベル画像形成が可能となる。これは、レーザダイオードの駆動電流を単数のパルスや連続するＤＣモードでレーザダイオード５４に供給すると、最大発光パワーは、連続するパルス信号であるレーザダイオード５４の駆動電流を出力した場合の約１／２という低い値となってしまうからである。
【００５３】
このようなレーザ光の発光により、光ディスクＤの可視化層７６は、レーザ光の光量又は熱に応じて透明な状態から不透明な可視状態に変質し、図３に示すように、レーザ光の強度に応じた濃淡をもったラベル画像を螺旋的又は同心円状に形成するものである。
【００５４】
又、更に、より確実に可視化層７６の画像形成を行うために、各周回毎に、複数回のレーザ光の照射を行うことが好適である。すなわち、レーザ光の強度を変えて１回だけの照射で濃度変化を表現するだけではなく、階調画像の濃度に応じて、２回、５回、１０回と、同一個所への照射の回数を増減して、これにより、濃度表現を確実とすることが好適である。
【００５５】
又、光ディスク装置においては、情報の記録処理、再生処理を行うためのレーザ光のレーザ照射部であるレーザダイオードを用いることにより、専用の光ディスクのラベル印刷部を用意する必要がなくなり、光ディスクの回転部やピックアップ部、ピックアップの駆動部や制御部等の構成を共用することが可能となる。
【００５６】
このように本発明に係る一実施形態の光ディスク装置においては、圧縮伸張処理により容量を圧縮することができるので、外部のホストコンピュータＨ等からラベル画像を転送する場合にも迅速に確実に行うことができる。
【００５７】
・光ディスク装置内での圧縮伸張処理
なお、ここで圧縮伸張処理は、外部装置で圧縮され、光ディスク装置１０の内部で伸張されるだけではなく、例えば、光ディスク装置１０の内部でラベル画像を保存する際にも用いることができる。すなわち、図１の伸張部（圧縮部）４１に伸張処理だけではなく、圧縮伸張の機能をもたせることで、伸張部（圧縮部）４１が有している記憶領域、又は、ハードディスクドライバ部１８の記憶領域を有効に使用することができる。すなわち、ラベル画像をそのまま伸張部（圧縮部）４１やハードディスクドライバ部１８の記憶領域に記憶させるのではなく、上述した方法で圧縮した上で記録し、使用する際に読み出して伸張処理を行えば、記憶領域を効率的に使用することが可能となるものである。
【００５８】
以上記載した実施形態においては、ハードディスクレコーダ等を含む複合機としての光ディスク装置において、本発明の一実施形態を説明したが、これに限らず、例えば、光ディスクだけを扱う光ディスク記録再生装置においても、同等の処理が可能であることは言うまでもない。
【００５９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６０】
【図１】本発明の一実施形態に係る光ディスク装置の構成の一例を示すブロック図。
【図２】本発明の一実施形態に係る光ディスク装置のディスクドライブ部の構成の一例を示すシステム図。
【図３】本発明の一実施形態に係る光ディスク装置が画像形成する光ディスクのラベルの一例を示す平面図。
【図４】本発明の一実施形態に係る光ディスク装置が扱う可視化層を有する光ディスクの構成の一例を示す断面図。
【図５】本発明の一実施形態に係る光ディスク装置が扱う光ディスクの隣り合う周回同士の階調差分成分を示す図。
【符号の説明】
【００６１】
１１…ネットワークＩ／Ｆ部、１２…チューナ部、１３…入力部、１８…ハードディスクドライバ部、１９…ディスクドライブ部、２０…データ処理部、２１…エンコーダ部、２２…デコーダ部、２３…フォーマッタ部、２４…ビデオミキシング部、２６…ディスプレイ、２７…Ｉ／Ｆ部、３０…制御部（伸張転送制御部・ラベル形成制御部）、３１…表示部、３２…操作部、Ｒ…リモコン。
【図１】
2005339686.tif 000003
【図２】
2005339686.tif 000004
【図３】
2005339686.tif 000005
【図４】
2005339686.tif 000006
【図５】
2005339686.tif 000007